(57)【要約】【課題】簡単な構造でシステム天井の格子部に、Ｔバーに対して平行又は所定の角度で設置することのできる照明器具を提供すること。【解決手段】Ｔバー３１によって形成されたシステム天井３０の格子部３２に取付けられる照明器具１であって、この照明器具１は、下部が開口されて内部に光源１０や光源１０の点灯装置などが設けられた細長い箱状の器具本体２と、先端部にＴバー３１への係合部２３が設けられ、器具本体２の天板の各角部又はその近傍に取付けられる係止具２０とを有し、係止具２０を、器具本体２の長手方向と平行に、又は長手方向に対して傾けて取付けるようにした。【選択図】図１
2012009303.tif 000002
【特許請求の範囲】
【請求項１】
Ｔバーによって形成されたシステム天井の格子部に取付けられる照明器具であって、
前記照明器具は、下部が開口されて内部に光源や該光源の点灯装置などが設けられた細長い箱状の器具本体と、先端部に前記Ｔバーへの係合部が設けられ、前記器具本体の天板の各角部又はその近傍に取付けられる係止具とを有し、
前記係止具を、前記器具本体の長手方向と平行に、又は長手方向に対して傾けて取付けるようにしたことを特徴とする照明器具。
【請求項２】
前記器具本体の天板の各角部の近傍において該角部をほぼ２等分する仮想線上に貫通穴を設けると共に、該貫通穴の奥側に前記仮想線と直交しかつ該仮想線の両側に等距離を隔てて一対の位置決め突部を設けたことを特徴とする請求項１記載の照明器具。
【請求項３】
前記係止具は、前記器具本体の天板に当接する本体部と、該本体部の先端部を下方にほぼ直角に折曲げたアーム部と、該アーム部の先端部に設けられ前記Ｔバーに取付けられる係合部と、前記本体部の長手方向に設けられた長穴とによって構成したことを特徴とする請求項１又は２記載の照明器具。
【請求項４】
前記係止具の本体部の幅を、前記器具本体の天板に設けた位置決め突部の間隔とほぼ等しく形成したことを特徴とする請求項２又は３記載の照明器具。
【請求項５】
前記係止具の長穴から前記器具本体の天板に設けた貫通穴にボルトを挿通し、該係止具を前記ボルトに沿って前後方向にスライド可能に構成すると共に、前記係止具を前記ボルトにより前記器具本体に、該器具本体の長手方向と平行に固定し、又は該ボルトを軸に回動して前記仮想線とほぼ一致させて固定したことを特徴とする請求項２〜４のいずれかに記載の照明器具。
【請求項６】
前記器具本体の天板の各角部の近傍に、該器具本体の長手方向と平行に設けた平行スライド部と、該平行スライド部の先端部をほぼ４５°折り曲げた傾斜スライド部とによりほぼＪ字状のスライド穴を設け、前記平行スライド部と傾斜スライド部との間に前記係止具の位置決めマークを設けたことを特徴とする請求項１記載の照明器具。
【請求項７】
前記係止具は、前記器具本体の天板に当接する本体部と、該本体部の先端部を下方にほぼ直角に折り曲げたアーム部と、該アーム部の先端部に設けられ前記Ｔバーに取付けられる係合部とからなり、前記本体部に、前記スライド穴へボルトを挿通する取付穴及び前記位置決めマークの透視穴を設け、又は前記取付穴及び透視穴を兼ねた長穴を設けたことを特徴とする請求項６記載の照明器具。
【請求項８】
前記係止具の係合部の幅方向のほぼ２分の１を切除し、前記係止具を前記Ｔバーの同じ位置に対向して取付けても互いにかん渉しないように構成したことを特徴とする請求項３又は７記載の照明器具。
【請求項９】
前記器具本体の長手方向又は短手方向の側壁に、取付部と押え部とからなる変形防止具の前記取付部を取付け、前記器具本体の天板の角部に設けた係止具の本体部の上面に前記押え部を当接したことを特徴とする請求項１〜８のいずれかに記載の照明器具。
【請求項１０】
前記照明器具を前記システム天井の格子部に傾けて取付ける際に、該照明器具に前記Ｔバーがかん渉するのを防止するために、前記照明器具の幅を、前記格子部の対向するＴバーの内寸法の（２1/2−１）倍以下としたことを特徴とする請求項１〜９のいずれかに記載の照明器具。
【発明の詳細な説明】
【技術分野】
【０００１】
本発明は、照明器具に係り、より詳しくは、Ｔバーが格子状に組み込まれたシステム天井の格子部に、Ｔバーに対して平行に又は所定の角度で取付け得るようにした照明器具に関するものである。
【背景技術】
【０００２】
従来の照明器具に、Ｔバーの下端水平片からチャンネルの下端までの高さより低い器具本体と、この器具本体の上面の長手方向に移動可能に取付けられて、器具本体の下端が下端水平片より上方に位置するように両端がＴバーの上端に係止した取付具とを備え、取付具の両端が器具本体の幅方向の中心側に後退可能に構成されたものがある（例えば、特許文献１参照）。
【０００３】
また、天井面の一部を構成する矩形枠体と、この矩形枠体より天井の内面側に埋込まれて設けられた堀上げ天井板と、ランプを収容する灯体と、この灯体を矩形枠体の中央部に配置するために矩形枠体の対角線に沿って設けた灯体支持用アームとを備えた照明装置が開示されている（例えば、特許文献２参照）。
【先行技術文献】
【特許文献】
【０００４】
【特許文献１】特開平１０−１０６３３６号公報（第３−４頁、図１）
【特許文献２】特開平２−２８８１０５号公報（第２−３頁、図１）
【発明の概要】
【発明が解決しようとする課題】
【０００５】
特許文献１，２の照明器具は、システム天井の格子部を構成するＴバーに対して、照明灯が平行又は直交した状態でしか取付けることができないため、照明器具をＴバーに対して傾けて取付けることができず、天井面に照明器具をレイアウトする際の自由度が制約されていた。
【０００６】
本発明は、上記の課題を解決するためになされたもので、簡単な構造でシステム天井の格子部に、Ｔバーに対して平行又は所定の角度で設置することのできる照明器具を提供することを目的としたものである。
【課題を解決するための手段】
【０００７】
本発明は、Ｔバーによって形成されたシステム天井の格子部に取付けられる照明器具であって、前記照明器具は、下部が開口されて内部に光源や該光源の点灯装置などが設けられた細長い箱状の器具本体と、先端部に前記Ｔバーへの係合部が設けられ、前記器具本体の天板の各角部又はその近傍に取付けられる係止具とを有し、前記係止具を、前記器具本体の長手方向と平行に、又は長手方向に対して傾けて取付けるようにしたものである。
【発明の効果】
【０００８】
本発明によれば、簡単な構造でシステム天井の格子部に、Ｔバーに対して平行に又は所定の角度で設置することができるので、天井面に照明器具をセットする場合の自由度を拡大することができる。
【図面の簡単な説明】
【０００９】
【図１】本発明の実施の形態１に係る照明器具をシステム天井に取付けた状態を示す斜視図である。
【図２】図１の照明器具の斜視図である。
【図３】図２の照明器具の要部の平面図である。
【図４】図２の照明器具に取付けた係止具の斜視図である。
【図５】図４の係止具を器具本体の天板に器具本体の長手方向と平行に取付けた状態を示す平面図である。
【図６】図５の係止具をスライドさせた状態を示す平面図である。
【図７】図４の係止具を器具本体の天板に本体部の長手方向に対して傾けて取付けた状態を示す平面図である。
【図８】照明器具をシステム天井の格子部に傾けて取付けた状態を示す斜視図である。
【図９】照明器具をシステム天井の隣接する格子部に同方向に傾けて取付けた状態を示す上面図である。
【図１０】照明器具をシステム天井の格子部に傾けて取付けて取付ける場合のＴバーとの寸法関係を示す説明図である。
【図１１】本発明の実施の形態２に係る照明器具の係止具の斜視図である。
【図１２】図１１の係止具を取付けた照明器具をシステム天井の隣接する格子部にＸ字状に取付けた状態を示す上面図である。
【図１３】図１２の円部の拡大図である。
【図１４】図１２の照明器具を格子部にロ字状に取付けた状態を示す平面図である。
【図１５】本発明の実施の形態３に係る照明器具の上面斜視図である。
【図１６】図１５の要部の拡大斜視図である。
【図１７】図１６の他の例の斜視図である。
【図１８】本発明の実施の形態４に係る照明器具の要部の平面図である。
【図１９】図１８の照明器具に取付ける係止具の斜視図である。
【図２０】図１８の照明器具に図１９の係止具を照明器具の長手方向と平行に取付けた状態を示す平面図である。
【図２１】図１８の照明器具に図１９の係止具を照明器具の長手方向に対して傾けて取付けた状態を示す平面図である。
【発明を実施するための形態】
【００１０】
［実施の形態１］
図１は本発明の実施の形態１に係る照明器具をシステム天井に取付けた状態を示す斜視図、図２は図１の照明器具の斜視図、図３は図２の照明器具の要部の平面図である。
図において、１は照明器具、３０はこの照明器具１が取付けられたシステム天井で、対向する一対のＴバー３１ａ，３１ａと、これと直交して対向する一対のＴバー３１ｂ，３１ｂとにより、方形の格子部３２が形成されている（なお、以下の説明では、Ｔバー３１ａ，３１ｂを一括して３１と記すことがある）。
【００１１】
照明器具１は、下面が開口された細長い箱状の器具本体２を有し、器具本体２の長手方向の両側壁２ａの下端部には、外側に折り曲げられたフランジ３が設けられている。また、器具本体２の天板４の各角部の近傍には、角部を４５°で二等分する仮想線５上に貫通穴６が設けられており、貫通穴６の奥側には、仮想線５の両側に等距離を隔てて対向し、切り起しにより形成された半球状で、対向部が切除された平面半円状の位置決め突部７ａ，７ｂが設けられている。
【００１２】
そして、器具本体２の短手方向の一方の側壁２ｂの内側には点灯装置１１が設けられており、また、両側壁２ｂの内側には、光源である蛍光灯１０が着脱可能に装着されるランプソケット１２が設けられている。１３は蛍光灯１０の光を反射させる反射板である。
【００１３】
２０は照明器具１をシステム天井３０に取付けるための係止具で、図４に示すように、器具本体２の天板４に固定される本体部２１と、この本体部２１の一端がほぼ直角に下方に折り曲げられたアーム部２２と、アーム部２２の先端部に設けられてＴバー３１に係合する係合部２３とからなり、係合部２３は、Ｔバー３１への載置部２４及びＴバー３１に係止する係止部２５からなっている。２６は本体部２１の長手方向に設けられて、器具本体２に対して係止具２０をスライドさせ、又は固定するための長穴である。なお、係止具２０の幅Ｗは、器具本体２の天板４に設けた位置決め突部７ａ，７ｂの間隔ｄとほぼ等しく形成されている。
【００１４】
上記のように構成した係止具２０は、図５に示すように、その本体部２１を、器具本体２の長手方向の側壁２ａと平行に天板４に当接すると共に、アーム部２２を短手方向の側壁２ｂに当接し、長穴２６から貫通穴６に挿通したボルト４０に、下面からナット（図示せず）を螺入して固定する。
【００１５】
また、図６に示すように、ボルト４０を緩めて係止具２０の長穴２６をボルト４０に沿って前面側（図の上方）にスライドさせ、ボルト４０を締付ければ、係合部２３を器具本体２の短手側の側壁２ｂから所定の長さだけ突出させることができる。
【００１６】
さらに、図７に示すように、ボルト４０を緩めて係止具２０を回動させ、その後端部を位置決め突部７ａ，７ｂの間に位置させてボルト４０を固定すれば、係止具２０を器具本体２の長手方向に対して所定の角度（４５°）傾けて、仮想線５上に取付けることができる。
【００１７】
次に、本実施の形態に係る照明器具１を、システム天井３０に取付ける手順の一例について説明する。
先ず、図２、図５に示すように、係止具２０が器具本体２の天板４の各角部に、器具本体２の長手方向と平行に取付けられている場合について説明する。
【００１８】
この場合は、図１に示すように、照明器具１を、システム天井３０の格子部３２上に、一方の対向するＴバー（例えば、３１ａ）と直交し、他方のＴバー３１ｂと平行になるように位置させ、その係止具２０の係合部２３の載置部２４をＴバー３１ａ上に載置し、係止部２５をＴバー３１ａに係止させる。なお、器具本体２の長さは、格子部３２の対向するＴバー３１の内のり間隔とほぼ等しく形成されているが、Ｔバー３１の間隔が器具本体２の長さより大きい場合は、図６で説明したように、係止具２０をスライドさせて器具本体２からの突出長を調整すればよい。
このようにして、照明器具１はシステム天井３０の格子部３２に、一方のＴバー３１ｂと平行に、他方のＴバー３１ａと直交して取付けられる。
【００１９】
次に、図７に示すように、係止具２０を器具本体２の天板４の各角部に、器具本体２の長手方向に対して４５°傾けて取付けた場合の、照明器具１のシステム天井３０への取付手順について説明する。
この場合は、図８に示すように、システム天井３０の格子部３２の一方の対向する角部（Ｔバー３１ａと３１ｂが交差する位置）の上方に照明器具１を位置させ、各係止具２０の係合部２３の載置部２４をＴバー３１ａ，３１ｂ上に載置し、係止部２５をＴバー３１ａ，３１ｂにそれぞれ係止させる。
【００２０】
これにより、照明器具１は、システム天井３０の方形の格子部３２の対向する角部、すなわち、Ｔバー３１ａ，３１ｂに対して４５°傾けて取付けられる。
図９は隣接する複数の格子部３２を有するシステム天井３０の各格子部３２に、それぞれ同方向に４５°傾けて照明器具１を取付けた本例の施工配置のバリエーションを示すものである。
【００２１】
図１０は照明器具１をシステム天井３０の格子部３２に傾けて取付ける場合に、照明器具１がＴバー３１とかん渉しないようにするための幅寸法の説明図である。
この場合、格子部３２の下面の内寸法Ａに対して、器具本体２の幅は、（Ａ−Ａ×２1/2）×２1/2となるため、最終的には、格子部３２の内寸法Ａに対して、器具本体２の幅はＡ（２1/2−１）となる。これにより、器具本体２はＴバー３１にかん渉しない最適の幅となるので、器具本体２の幅が、≦Ａ（２1/2−１）であれば、照明器具１を格子部３２に斜めに取付ける際に、Ｔバー３１がかん渉するのを防止することができる。
【００２２】
本実施の形態において、システム天井３０の格子部３２に照明器具１を取付けた場合、図１の照明器具１とＴバー３１との間には長方形状の空間部が形成され、また、図８、図９の照明器具１とＴバー３１との間にはほぼ三角形状の空間部が形成されるが、これら空間部には図示しない長方形状又は三角形状の天井材が取付けられ、空間部を閉塞して天井面を形成する（以下の実施の形態においても同様である）。
【００２３】
本実施の形態によれば、器具本体２の天板４の角部にそれぞれ設けた係止具２０により、照明器具１をシステム天井３０の格子部３２を形成するＴバー３１と平行に取付けることができ、また、各係止具２０を回動させることにより、Ｔバ−３１に対して傾けて取付けることができるので、天井面に照明器具１をセットする場合の自由度を拡大することができる。
また、器具本体２の天板４に設けた各係止具２０を天板４に沿って前進又は後退させることにより、システム天井３０の格子部３２を形成するＴバー３１の間隔が異なる場合でも、確実にこれに対応させることができる。
【００２４】
［実施の形態２］
図１１は本発明の実施の形態２に係る照明器具に設けた係止具の斜視図である。なお、実施の形態１の係止具（図４）と同じ部分にはこれと同じ符号を付してある。
本実施の形態に係る係止具２０ａは、アーム部２２の先端部に設けた係合部２３ａの幅方向のいずれか一方の側の約２分の１を切除し、他方の側にアーム部２２の幅Ｗの２分の１又はこれより狭い幅Ｗ1の嵌合部２３ａを設け、この嵌合部２３ａに載置部２４ａ及び係止部２５ａを形成したものである。
【００２５】
本実施の形態においては、図７に示すように、係止具２０ａを器具本体２の天板４の各角部に、器具本体２の長手方向に対して４５°傾けて取付ける。
そして、図１２に示すように、システム天井３０の隣接する４つの格子部３２に、各照明器具１の一方の端部を中心部側の角部に、他方の短部をこれと対向する外側の角部に向けて配置し、各照明器具１の係合部２３ａをＴバー３１ａ，３１ｂにそれぞれ係止させて、Ｘ字状に設置したものである。
【００２６】
このとき、中心部側の各係止具２０ａは、図１３（ａ）に示すように、嵌合部２３ａの幅Ｗ1がアーム部２２の幅Ｗの２分の１又はそれより狭く形成されているので、Ｔバー３１の同じ位置に対向して取付けられる係止具２０ａは、互いにかん渉することなく同じ位置においてＴバー３１に取付けることができる。
【００２７】
図１４は本実施の形態に係る照明器具のシステム天井への取付けの他の例を示す説明図である。
図１２においては、システム天井３０の隣接する４つの格子部３２に、照明器具１をＸ字状に取付けた場合を示したが、本例は、図１１の係止具２０ａを有する照明器具１を、隣接する４つの格子部３２にロ字状に取付けたもので、取付手順等は、図１２の場合とほぼ同様である。
【００２８】
上記の説明では、係止具２０ａの係合部２３ａを、幅方向の一方の側にアーム部２２の幅Ｗの２分の１又はこれより狭い幅Ｗ1で形成した場合を示したが、図１３（ｂ）に示すように、Ｔバー３１の同じ位置に対向して取付けられる係止具２０ｂ，２０ｃの一方の係止具２０ｂの係合部２３ｂを、幅方向の中央部を切除してその両側に形成し、他方の係止具２０ｃの係合部２３ｃを、幅方向の両側を切除して中央部に、係止具２０ｂの係合部２３ｂの間に挿入される係合部２３ｃを形成し、互いにかん渉しないように構成してもよい。
【００２９】
また、上記の説明では、器具本体２のすべての角部に本実施の形態にかかる係止具２０ａを取付けた場合を示したが、Ｔバー３１の同じ位置に対向して取付けられる係止具だけに本実施の形態に係る係止具２０ａ（２０ｂ，２０ｃを含む）を用い、他の係止具には、実施の形態１に係る係止具２０を用いてもよい。
【００３０】
本実施の形態によれば、システム天井３０の隣接する複数の格子部３２に照明器具１をそれぞれ傾けて取付ける場合、隣接する照明器具１の係止具２０ａがＴバー３１の同じ位置に対向して取付けられても、両者の係止具２０ａをかん渉することなく取付けることができる。
【００３１】
［実施の形態３］
図１５は本発明の実施の形態３に係る照明器具の背面斜視図、図１６は図１５の要部の拡大図である。
本発明に係る照明器具１において、器具本体２の天板４に設けた係止具２０を、前面側にスライドさせて器具本体２から突出させて取付けて、システム天井３０の格子部３２に設置した場合、照明器具１の自重により係止具２０（特に、本体部２１）が変形して、照明器具１の下面がＴバー３１の下端面より下る（沈む）おそれがある。
【００３２】
本実施の形態は、このような問題の発生を防止するために、取付部４６と押え部４７とからなる変形防止具４５により、係止具２０（以下、係止具２０ａ，２０ｂ，２０ｃを含む）の変形を防止するようにしたものである。
【００３３】
本実施の形態において、係止具２０を器具本体２の天板４の角部に傾けて取付けた場合は、図１５、図１６に示すように、器具本体２の長手方向の側壁２ａ（短手方向の側壁２ｂでもよい）の角部の近傍に、変形防止具４５の取付部４６を接着、ねじ止め等により取付けて、その押え部４７を係止具２０の本体部２１の上面に当接させ、係止具２０の変形を防止するようにしたものである。
【００３４】
また、係止具２０を器具本体２の長手方向と平行に取付けた場合は、図１７に示すように、変形防止具４５の取付部４６を器具本体２の短手方向の側壁２ｂに取付けて、押え部４７を係止具２０の本体部２１の上面に当接させ、係止具２０の変形を防止する。
本実施の形態によれば、簡単な構造で係止具２０の変形を防止し、照明器具１をシステム天井の所定の位置に保持することができる。
【００３５】
［実施の形態４］
図１８は本発明の実施の形態４に係る照明器具の要部の上面図である。
実施の形態１〜３においては、器具本体２の天板４の角部の近傍に貫通穴６を設け、係止具２０（係止具２０ａ，２０ｂ，２０ｃを含む）に設けた長穴２６から貫通穴６にボルト４０を挿通し、内側からナットで締め付けて係止具２０を器具本体２に固定するようにしている。
【００３６】
本実施の形態は、上記の貫通穴６に代えて、図１８に示すように、器具本体２の天板４の各角部の近傍に、器具本体２の長手方向と平行に、スリット状の平行スライド部８ａを形成すると共に、その先端部を仮想線５と直交して（平行スライド部８ａに対してほぼ４５°の角度で）折り曲げて傾斜スライド部８ｂを形成し、これらにより、ほぼＪ字状のスライド穴８を設けたものである。
【００３７】
９は仮想線５上において、平行スライド部８ａと傾斜スライド部８ｂとの間に設けられた係止具２０ｄの位置決めマークである。なお、この位置決めマーク９に代えて、係止具２０ｄが器具本体２の長手方向に対して４５°回動した位置で停止するように、天板４に切り起し等によりストッパを設けてもよい。
【００３８】
また、このスライド穴８を介して器具本体２に取付ける係止具２０ｄは、図１９に示すように、実施の形態１又は２の係止具２０において、長穴２６を省略し、本体部２１の後部側に取付穴２７を設けると共に、さらにその後部側に透視穴２８を設けたものである。
【００３９】
上記のように構成した本実施の形態において、係止具２０ｄを器具本体２の長手方向と平行に取付ける場合は、図２０に示すように、係止具２０ｄをスライド穴８の平行スライド部８ａに沿って配置し、取付穴２７から平行スライド部８ａに挿通したボルト４０を内側でナット締めして固定する。このとき、係止具２０ｄをボルト４０と共に平行スライド部８ａに沿って移動させることにより、係合部２３の位置を調整することができる。
【００４０】
また、係止具２０ｄを器具本体２の天板４の角部に傾けて取付ける場合は、図２１に示すように、係止具２０ｄを仮想線５上と思われる位置に設置し、取付穴２７から傾斜スライド部８ｂに挿通したボルト４０を内側からナットにより仮り止めし、透視穴２８を位置決めマーク９と整合させ、ナットを締めて固定する。
【００４１】
この場合、係止具２０ｄを図２０の状態に位置させ、ボルト４０を緩めて係止具２０ｂをボルト４０と共に平行スライド部８ａに沿って前進させ、引続き傾斜スライド部８ｂに沿って移動させて係止具２０ｄを回動させ、透視穴２８が位置決めマーク９と整合した位置でボルト４０を固定してもよい。なお、いずれの場合においても、天板４にストッパを設けた場合は、係止具２０ｄをストッパに当接させて位置決めをすればよい。
【００４２】
上記の説明では、係止具２０ｄは本体部２１に設けた長穴２６を省略して取付穴２７及び透視穴２８を設けた場合を示したが、これらに代えて取付穴２７及び透視穴２８を兼ねた長穴を設けてもよい。なお、本実施の形態においても、実施の形態２及び３の発明を適用することができる。
本実施の形態によれば、実施の形態１の場合とほぼ同様の効果を得ることができる。
【００４３】
上記の各実施の形態においては、照明器具１の光源に蛍光灯１０を用いた場合を示したが、これに限定するものではなく、ＬＥＤやＥＬなど、他の光源を用いてもよく、この場合は、器具本体２に取付けられる電気部品や反射部材は、光源の種類や照明器具１の構造部品に応じて適宜選定される。
【符号の説明】
【００４４】
１  照明器具、２  器具本体、４  天板、５  仮想線、６  貫通穴、７ａ，７ｂ  位置決め突部、８  スライド穴、９  位置決めマーク、１０  光源（蛍光灯）、２０〜２０ｄ  係止具、２１  本体部、２２  アーム部、２３，２３ａ  係合部、２４，２４ａ  載置部、２５，２５ａ  係止部、２６  長穴、２７  取付穴、２８  透視穴、３０  システム天井、３１  Ｔバー、３２  格子部、４０  ボルト、４５  変形防止具、４７  押え部。
【図１】
2012009303.tif 000003
【図２】
2012009303.tif 000004
【図３】
2012009303.tif 000005
【図４】
2012009303.tif 000006
【図５】
2012009303.tif 000007
【図６】
2012009303.tif 000008
【図７】
2012009303.tif 000009
【図８】
2012009303.tif 000010
【図９】
2012009303.tif 000011
【図１０】
2012009303.tif 000012
【図１１】
2012009303.tif 000013
【図１２】
2012009303.tif 000014
【図１３】
2012009303.tif 000015
【図１４】
2012009303.tif 000016
【図１５】
2012009303.tif 000017
【図１６】
2012009303.tif 000018
【図１７】
2012009303.tif 000019
【図１８】
2012009303.tif 000020
【図１９】
2012009303.tif 000021
【図２０】
2012009303.tif 000022
【図２１】
2012009303.tif 000023